(57)【要約】【課題】原稿の表面読取時および裏面読取時で容易に読取センサと回転部材との位置関係を同等することができるようにして、原稿の表面および裏面での読取画像の画質を均一にすることができる画像読取装置を提供する。【解決手段】この画像読取装置は、搬送路を搬送される原稿８の画像を読取る読取センサ１と、該読取センサ１に対して搬送路を挟んで対向するように配置された回転部材１０と、を備える。そして、回転部材１０の回転中心を該回転部材１０の中心線から所定距離の離間した位置に設定する。【選択図】図４
2008252382.tif 000002
【特許請求の範囲】
【請求項１】
搬送路を搬送される原稿の画像を読取る読取センサと、
該読取センサに対して搬送路を挟んで対向するように配置された回転部材と、を備える画像読取装置において、
前記回転部材の外周面から該回転部材の回転中心までの距離を前記回転部材の回転角度に応じて異ならせたことを特徴とする画像読取装置。
【請求項２】
前記回転部材は、互いに明度の異なる色を有する少なくとも２つの部材を組み合わせて形成されたことを特徴とする請求項１に記載の画像読取装置。
請求項１に記載の画像読取装置。
【請求項３】
２つの前記部材の一方が略黒色の半円筒部材であり、他方が略白色の半円筒部材であり、前記回転部材は、略円筒形状に形成され、該回転部材の回転中心が前記回転部材の中心線から所定距離離間した位置に配置されたことを特徴とする請求項２に記載の画像読取装置。
【請求項４】
２つの前記半円筒部材のうちの一方の半円筒部材の内周側に少なくとも１つの嵌め込み部を設けるとともに、他方の半円筒部材に前記嵌め込み部と対応する被嵌め込み部を設け、
前記嵌め込み部の少なくとも１つは、前記回転部材の回転中心を含む位置に配置されることを特徴とする請求項３に記載の画像読取装置。
【請求項５】
前記回転部材の回転中心が該回転部材の中心線から離間する方向が、２つの前記半円筒部材の軸方向に沿う接合部近傍に接近する方向であることを特徴とする請求項３又は４に記載の画像読取装置。
【請求項６】
前記回転部材と、搬送される原稿を搬送方向に案内する搬送ガイドと、前記回転部材の両端を回転可能に保持する保持部材と、該保持部材に設けられ、前記読取センサに当接して該読取センサと前記回転部材との間に所定の隙間を確保するスペーサと、を一体に組み合わせた回転部材ユニットが着脱可能に配置されることを特徴とする請求項１〜５のいずれか一項に記載の画像読取装置。
【請求項７】
前記回転部材の回転中心を貫通する軸部材を備え、該軸部材に前記回転部材が支持されることを特徴とする請求項１〜５のいずれか一項に記載の画像読取装置。
【請求項８】
前記軸部材は前記嵌め込み部の少なくとも１つに嵌合し、該軸部材が嵌合する前記嵌め込み部の少なくとも１つは前記回転部材の軸方向の中央部近傍に配置されることを特徴とする請求項７に記載の画像読取装置。
【請求項９】
前記回転部材と、前記軸部材と、搬送される原稿を搬送方向に案内する搬送ガイドと、前記軸部材の両端を保持する保持部材と、該保持部材に設けられ、前記読取センサに当接して該読取センサと前記回転部材との間に所定の隙間を確保するスペーサと、を一体に組み合わせた回転部材ユニットが着脱可能に配置されることを特徴とする請求項７又は８に記載の画像読取装置。
【請求項１０】
前記読取センサが読み取る原稿の面とは反対側の面の画像を読み取る他の読取センサと、該他の読取センサに対して搬送路を挟んで対向するように配置された他の回転部材と、を備えることを特徴とする請求項１〜９のいずれか一項に記載の画像読取装置。
【請求項１１】
前記他の回転部材は、互いに明度の異なる色を有する２つの半円筒部材を組み合わせて円筒形状に形成され、該他の回転部材の回転中心が前記他の回転部材の中心線から所定距離離間した位置に配置されることを特徴とする請求項１０に記載の画像読取装置。
【発明の詳細な説明】
【技術分野】
【０００１】
本発明は、搬送機構を用いて原稿を搬送して該原稿の画像を読取るスキャナー等の画像読取装置に関する。
【背景技術】
【０００２】
スキャナー等の画像読取装置で読み取った原稿の文字画像を認識するＯＣＲ処理を行う場合、処理前に原稿の輪郭や原稿の縁或いは基準孔等を基準に画像データの位置を合わせて画像データをファイルしなければならないため、基準が鮮明である必要がある。
【０００３】
通常の原稿は白色のため、画像を読取る読取センサに対向して設けられたプラテンローラ等の回転部材が白色だと、読み取られた原稿画像の周囲に付加される背景画像の色（背景色）が白色となり、読取った原稿の輪郭、縁、基準孔等は強調されない。
【０００４】
そこで、プラテンローラ等の回転部材の外周面を円周方向に黒色と白色とに色分けし、回転部材を回転操作することで、読取り時に原稿の背景色を白色か黒色に切り換える画像読取装置が提案されている（特許文献１）。
【０００５】
この提案では、原稿の背景色を黒色に切換えることで、原稿の輪郭、縁、孔等を強調し、ＯＣＲの処理を行う際、読取りデータの位置を合わせて画像データをファイルすることが容易になる。
【０００６】
一方、印刷や印字の濃度が薄く、かつ光が透過し易い原稿の場合、背景色が黒色だと背景色が透けて見えるため、読取った画像は印刷や印字（黒色の字）の強調処理を行い難くなる。この場合、原稿の背景色を白色に切り換えることで印刷や印字を強調することができる。
【０００７】
逆に、光が透過し易い両面印刷の原稿では、背景色を白色にすると、裏面の印刷や印字等が透けて見える度合いが強まるため、背景色を黒色にし、裏面の印刷や印字を強調しないようにすることができる。
【０００８】
また、一般的に、一度の原稿搬送で両面を読み取る画像読取装置においては、表面用と裏面用の２つの読取センサが設けられ、それぞれの読取センサの読取位置に対向して原稿を該読取センサに密着させるプラテンローラ等の回転部材が配置されている。
【特許文献１】特許第２７６１７３６号公報
【発明の開示】
【発明が解決しようとする課題】
【０００９】
ところで、原稿の両面を読み取る画像読取装置は、原稿の表面および裏面での読取画像の画質が均一となるよう、読取センサと回転部材との位置関係を表面読取時および裏面読取時で同等にしなくてはならない。
【００１０】
しかし、回転部材の寸法のばらつきや取付け位置ずれなどにより、読取センサと回転部材との位置関係を原稿の表面読取時および裏面読取時で完全に一致させることは難しい。このため、原稿の表面読取時および裏面読取時での読取センサと回転部材との位置関係が異なり、解像力やＭＴＦ（空間周波数伝達特性）が表面読取画像と裏面読取画像で均一にならないという問題が生じる。
【００１１】
そこで、本発明は、原稿の表面読取時および裏面読取時で容易に読取センサと回転部材との位置関係を同等することができるようにして、原稿の表面および裏面での読取画像の画質を均一にすることができる画像読取装置を提供することを目的とする。
【課題を解決するための手段】
【００１２】
上記目的を達成するために、本発明の画像読取装置は、搬送路を搬送される原稿の画像を読取る読取センサと、該読取センサに対して搬送路を挟んで対向するように配置された回転部材と、を備える画像読取装置において、前記回転部材の外周面から該回転部材の回転中心までの距離を前記回転部材の回転角度に応じて異ならせたことを特徴とする。
【発明の効果】
【００１３】
本発明によれば、回転部材の外周面から該回転部材の回転中心までの距離を該回転部材の回転角度に応じて異ならせているので、原稿の表面読取時および裏面読取時で容易に読取センサと回転部材との位置関係を同等することができる。これにより、原稿の表面および裏面での読取画像の画質を均一にすることができる。
【発明を実施するための最良の形態】
【００１４】
以下、本発明の実施の形態を図を参照して説明する。
【００１５】
図４は、本発明の第１の実施形態である画像読取装置の装置構成を説明するための簡略図である。
【００１６】
この画像読取装置は、図４に示すように、原稿８が積載される原稿台７がピックアップローラ６に当接するまで上昇し、ピックアップローラ６でピックアップされた原稿８は給送ローラ４によって給送される。
【００１７】
ピックアップローラ６で同時に２枚以上の原稿８がピックアップされた場合は、分離ローラ１１により原稿８が一枚ずつに分離されて給送される。そして、給送された原稿８の画像は、読取センサ１によって読取られる。読取センサ１に対向する位置には、プラテンローラ（回転部材）１０が一定の隙間を介して設けられている。
【００１８】
プラテンローラ１０は円筒形状をなしており、外周面の半周領域が黒色部とされ、残りの半周領域が白色部とされている。通常、プラテンローラ１０は停止しており、原稿８の背景色を切換える際に回転動作する。読取センサ１で読取る原稿の種類に応じてプラテンローラ１０の回転動作を制御して原稿８の背景色を黒色か白色かに切換えることが可能である。
【００１９】
例えば、印刷や印字の濃度が薄く、かつ透け易い用紙の原稿の場合には、読取センサ１にプラテンローラ１０の白色部が対向するように該プラテンローラ１０を回転させて原稿の背景色を白色に切り換え、印刷や印字文字等を強調する。
【００２０】
また、両面印刷で、かつ透け易い用紙の原稿の場合には、読取センサ１にプラテンローラ１０の黒色部が対向するように該プラテンローラ１０を回転させて原稿の背景色を黒色に切り換え、裏写りをなくす。
【００２１】
また、プラテンローラ１０は、その回転中心がプラテンローラ１０の中心線から離間した位置に配置されている。従って、プラテンローラ１０の回転停止位置を制御することで、読取センサ１とプラテンローラ１０との隙間寸法の調整が可能である。詳細は後述する。
【００２２】
読取センサ１で画像が読取られた原稿８は搬送ローラ３によって搬送され、排紙ローラ５により排紙トレイ９に排紙される。また、原稿台７に積載された原稿８がすべて給送されると、原稿台７は下降してホームポジションに戻る。
【００２３】
なお、下部ユニット１２に対して、搬送ローラ３、給送ローラ４、読取センサ１、およびプラテンローラ１０を有する上部ユニット２はヒンジ１３を介して回動可能であり、搬送路を開閉できる。下部ユニット１２に対して上部ユニット２を回動操作して搬送路を開くことにより、搬送ローラ３、プラテンローラ１０、読取センサ１、搬送路の清掃、および搬送路に詰まった原稿を取り出すことができる。
【００２４】
上部ユニット２の回動操作は、不図示の開閉検知センサを用いて検知可能であり、制御回路３０（図３参照）は、上部ユニット２が元の位置に戻され、搬送路が閉状態になり、原稿を搬送可能な状態となったことを確認して給送待機モードに入るよう制御する。
【００２５】
次に、図１を参照して、プラテンローラ１０について説明する。図１は、プラテンローラ１０の分解斜視図である。
【００２６】
図１に示すように、プラテンローラ１０は、略白色で半円筒状の白色部材（円弧筒部材）１４と、略黒色で半円筒状の黒色部材（円弧筒部材）１５とを備える。
【００２７】
白色部材１４の軸方向の一端部（図の左端部）には、ボス１４ａが軸方向に突設され、軸方向の他端部（図の右端部）には、ボス１４ａと略同心の穴１４ｅが設けられている。また、白色部材１４の内周面の円周方向の略中央部には、嵌め込み凸部１４ｂ、引掛け凹部１４ｃおよび嵌め込み凸部１４ｄが軸方向に所定の間隔で配設されている。
【００２８】
一方、黒色部材１５の軸方向の一端部（図の左端部）には、ボス１４ａが嵌め込まれる穴１５ａが設けられ、軸方向の他端部（図の右端部）には、穴１４ｅに嵌め込まれるボス１５ｅが設けられている。
【００２９】
また、黒色部材１５の内周面の円周方向の略中央部には、嵌め込み凸部１４ｂの先端部に嵌め込まれる嵌め込み凹部１５ｂ、引掛け凹部１４ｃに軸方向に掛止される引掛け部１５ｃ、および嵌め込み凸部１４ｄの先端部に嵌め込まれる嵌め込み凹部１５ｄが軸方向に所定の間隔で配設されている。
【００３０】
更に、黒色部材１５のボス１５ｅの近傍には、プラテンローラ１０の回転位置検出用の半円板状の羽根部１５ｆが、ボス１５ｅと同軸に設けられている。
【００３１】
白色部材１４と黒色部材１５とを組み合わせるには、まず、白色部材１４の嵌め込み凸部１４ｂ、引掛け凹部１４ｃおよび嵌め込み凸部１４ｄに対して、黒色部材１５の嵌め込み凹部１５ｂ、引掛け部１５ｃおよび嵌め込み凹部１５ｄを軸方向の一端側（図の左端側）にずらした状態で白色部材１４と黒色部材１５とを径方向に合わせる。
【００３２】
次いで、白色部材１４に対して黒色部材１５を軸方向の他端側（図の右端側）に相対的にスライドさせることにより、白色部材１４のボス１４ａが黒色部材１５の穴１５ａに軸方向に嵌め込まれるとともに、白色部材１４の穴１４ｅに黒色部材１５のボス１５ｅが軸方向に嵌め込まれる。
【００３３】
これと同時に、黒色部材１５の嵌め込み凹部１５ｂ，１５ｄが白色部材１４の嵌め込み凸部１４ｂ，１４ｄの先端部に径方向に嵌め込まれるとともに、黒色部材１５の引掛け部１５ｃが白色部材１４の引掛け凹部１４ｃに軸方向に嵌め込まれる。
【００３４】
これにより、白色部材１４と黒色部材１５とが組み合わせられ、円筒形状のプラテンローラ１０が形成される。なお、このように組み合わせた後、白色部材１４と黒色部材１５が外れないように、不図示のスナップフィット等によって外れ防止をしている。また、白色部材１４と黒色部材１５との凹凸嵌合構造は、特に限定されず、種々の凹凸嵌合構造を適用することができる。
【００３５】
また、白色部材１４と黒色部材１５とが組み合わせられた状態では、本実施形態では、白色部材１４のボス１４ａおよび該ボス１４ａが嵌め込まれる黒色部材１５の穴１５ａの中心、並びに白色部材１４の穴１４ｅおよび該穴１４ｅに嵌め込まれる黒色部材１５のボス１５ｅの中心がプラテンローラ１０の回転中心とされている。
【００３６】
そして、本実施形態では、プラテンローラ１０の回転中心を、図２に示すように、プラテンローラ１０の中心線から白色部材１４と黒色部材１５との軸方向に沿う接合面近傍に向けて所定距離δだけ離間する位置に設定している。
【００３７】
これにより、プラテンローラ１０を回転させると、プラテンローラ１０が偏心カムと同様の動きとなり、プラテンローラ１０の回転中心と外周面との距離Ｒが変化して、読取センサ１とプラテンローラ１０との隙間寸法の調整が可能となる。
【００３８】
また、プラテンローラ１０の回転中心をプラテンローラ１０の中心線から白色部材１４と黒色部材１５との軸方向に沿う接合面近傍に向けて離間させているので、白色部材１４と黒色部材１５の両方に対して平等な停止位置制御が可能となる。
【００３９】
なお、プラテンローラ１０と読取センサ１とが対向したセンサ・ローラ対は、図４に示すように、原稿８の表面の読取用と裏面の読取用の２組配置されている。各センサ・ローラ対は独立してプラテンローラ１０と読取センサ１との隙間寸法が調整できるようになっている。従って、各センサ・ローラ対において、原稿８の表裏画像が等しい画質になるプラテンローラ１０の回転停止位置を予め実機での調整作業で割り出して設定し、装置本体の記憶手段３１（図３参照）に記憶しておけばよい。
【００４０】
次に、図３を参照して、プラテンローラ１０の回転停止位置の調整方法の一例を説明する。
【００４１】
プラテンローラ１０の羽根部１５ｆには、フォトインタラプタ等の回転位置センサ３２が配置されている。プラテンローラ１０の回転動作により羽根部１５ｆが回転位置センサ３２の光路を遮ることで、回転位置センサ３２の出力が変化する。
【００４２】
また、プラテンローラ１０の羽根部１５ｆの反対側の回転軸には、ギヤＧ２が取り付けられ、該ギヤＧ２にはギヤＧ１が噛合している。ギヤＧ１はパルスモータ等の駆動モータＭのモータ軸に取り付けられており、該駆動モータＭの駆動によりプラテンローラ１０が回転駆動される。そして、上述した回転位置センサ３２の出力の変化時点を基準として駆動モータＭのパルス数等をカウントすることでプラテンローラ１０の回転停止位置を制御することが可能となる。
【００４３】
ここで、プラテンローラ１０の回転により、読取センサ１とプラテンローラ１０との隙間寸法が変化することから、読取センサ１と原稿との位置関係が変化し、これにより原稿の読取画像の画質が変化する。
【００４４】
実際に、表面読取画像と裏面読取画像の画質調整を行う場合には、まず、原稿の表面の読取画像の画質を調整する。このとき、表面側ユニットのプラテンローラ１０を回転制御しながら調整用チャートＳの画像を取得し、画像読取装置に接続しているパーソナルコンピュータ（以下、ＰＣという）３３等のディスプレイ上に表示し、標準的な画質になるプラテンローラ１０の回転停止位置を決定する。
【００４５】
次に、原稿の裏面側の画像を読取る際の読取画質を調整するため、裏面側ユニットのプラテンローラ１０を回転制御しながら調整用チャートＳの画像を取得する。この画像をＰＣ３３のディスプレイ上に表示し、表面側と裏面側の２つの画像を比較することによって表裏の画質が等しくなるプラテンローラ１０の回転停止位置を決定する。
【００４６】
決定した原稿の表裏で画質が等しくなるプラテンローラ１０の回転停止位置は、制御回路３０の記憶手段３１に記憶される。なお、画質の基準は製品ごとに求められるものが相違しているので製品ごとに適宜決定すればよい。また、画質調整の基準としてＭＴＦの測定結果などを採用することも可能である。
【００４７】
図５は、プラテンローラ１０、保持部材１６，１７、および搬送ガイド１８からなるプラテンローラユニット（回転部材ユニット）２２の斜視図である。
【００４８】
保持部材１６，１７は、搬送される原稿８を案内する搬送ガイド１８を保持すると共に、軸受部１９，２０を介してプラテンローラ１０の軸方向の両端部を回転可能に保持している。
【００４９】
プラテンローラユニット２２を本体装置に装着した後、保持部材１６，１７のスペーサ部１６ａ，１７ａに、読取センサ１（図４参照）が当接することで、プラテンローラ１０と読取センサ１との間に所定の隙間が確保される。
【００５０】
なお、上述したように、プラテンローラ１０は画質が表裏で均一となる回転停止位置を予め本体装置の記憶手段３１に記憶させておくことができるが、ユニット交換などが発生した場合には、上述した同様の方法でプラテンローラ１０の回転停止位置を再設定できるようにしてもよい。また、スペーサ部１６ａ，１７ａはプラテンローラユニット２２側ではなく、読取センサ１側に設けてもよい。
【００５１】
図６は、本体装置にプラテンローラユニット２２を取り付ける際の様子を示す斜視図である。
【００５２】
本体装置にプラテンローラユニット２２を取り付けるには、まず、図４に示すように、下部ユニット１２に対して上部ユニット２を開く。上部ユニット２の原稿８の搬送方向と直交する幅方向の両側壁には、略Ｕ字状に切り欠かれた取付部２３が設けられている。
【００５３】
そして、プラテンローラユニット２２を、搬送ガイド１８を上方に配置し、かつ上部ユニット２の幅方向にプラテンローラ１０の軸線を配置した状態で、該軸線方向（図の矢印方向）に移動させ、その後、上部ユニット２の各取付部２３に保持部材１６，１７の一部を挿入する。
【００５４】
この状態で、プラテンローラユニット２２をプラテンローラ１０の軸線回りに回転させることで、プラテンローラユニット２２が上部ユニット２に取り付けられる。
【００５５】
具体的には、図７に示すように、上部ユニット２の取付部２３の上方には突起２４が設けられ、プラテンローラユニット２２の保持部材１６，１７に設けられた軸受部１９，２０には、それぞれアーム部１６ｆが固定又は形成されている。
【００５６】
アーム部１６ｆは可撓性部材で形成されており、該アーム部１６ｆには、上部ユニット２の突起２４に着脱自在に掛止する掛止部１６ｅが設けられている。
【００５７】
そして、図７および図８に示すように、搬送ガイド１８を上方に配置した状態でプラテンローラユニット２２の軸受部１９，２０を上部ユニット２の取付部２３，２３に挿入して突き当てる（図８参照）。
【００５８】
この状態で、プラテンローラユニット２２をプラテンローラ１０の軸回りに９０°回転（図８の矢印方向）させると、アーム１６ｆが撓んで突起２４を乗り越え、掛止部１６ｅが突起２４に嵌め込まれる（図９参照）。これにより、プラテンローラユニット２２を上部ユニット２に容易に取り付けることができる。
【００５９】
かかる取り付け状態においては、図５で説明したように、プラテンローラ１０に設けられたギヤＧ２と、装置本体に設けられた駆動モータＭのモータ軸に取り付けられたギヤＧ１とが連結される。ユーザによる操作を基に、制御回路３０が駆動モータＭの駆動を制御することで、プラテンローラ１０が回転動作を制御して、白色部材１４又は黒色部材１５を読取センサ１に対して対向配置させて、原稿８の背景色を白色又は黒色に切り換えるとともに、読取センサ１とプラテンローラ１０との隙間寸法を調整する。
【００６０】
一方、プラテンローラユニット２２を上部ユニット２から取り外す場合は、アーム１６を撓ませて掛止部１６ｅを突起２４から外した後、上述した取り付ける工程と逆の工程を経ることにより、プラテンローラユニット２２を上部ユニット２から容易に取り外すことができる。なお、プラテンローラユニット２２を上部ユニット２ではなく、下部ユニット１２に上記同様にして着脱自在に取り付けるようにしてもよい。
【００６１】
以上説明したように、この実施形態では、プラテンローラ１０の回転中心を中心線から所定距離の離間した位置に設定しているので、プラテンローラ１０の回転動作によりプラテンローラ１０と読取センサ１との隙間寸法を容易に調整することができる。これにより、表面読取側ユニットおよび裏面読取側ユニットで読取センサ１とプラテンローラ１０との位置関係を同等にすることができ、原稿の表面および裏面での読取画像の画質を均一にすることができる。
【００６２】
また、プラテンローラ１０の回転中心をプラテンローラ１０の中心線から白色部材１４と黒色部材１５との軸方向に沿う接合面近傍に向けて離間させているので、白色部材１４を読取センサ１に対向させる場合と黒色部材１５を読取センサ１に対向させる場合の両方で、読取センサ１と原稿８との相対的な位置関係が同等になるように調整することができる。
【００６３】
更に、プラテンローラ１０を半円筒状の白色部材１４と半円筒状の黒色部材１５とを組み合わせて形成しているので、プラテンローラ１０の表面に原稿８が擦れても、表面の色が変ったり、表面が剥がれたりすることがない。これにより、プラテンローラ１０の耐久性が向上し、長期間にわたって使用することが可能となる。
【００６４】
更に、プラテンローラ１０は、白色部材１４に対して黒色部材１５を軸方向に相対移動させることで組み立てることができるので、プラテンローラ１０の組み立て作業の容易化を図ることができる。
【００６５】
更に、プラテンローラ１０、保持部材１６，１７、および搬送ガイド１８を有するプラテンローラユニット２２を上部ユニット２に対して容易に着脱することができるので、寿命等によりプラテンローラ１０を交換する作業やプラテンローラ１０を清掃する作業を効率よく行なうことができる。
【００６６】
更に、プラテンローラ１０、搬送される原稿８を案内する搬送ガイド１８、および読取センサ１に当接するスペーサ部１６ａ，１７ａが一体にユニット化されているので、プラテンローラ１０と搬送ガイド１８との相対位置、プラテンローラ１０とスペーサ部１６ａ，１７ａとの相対位置を高精度で管理することができる。これにより、プラテンローラ１０と読取センサ１との隙間寸法の管理が容易となり、プラテンローラ１０の回転中心から中心線までの離間距離を短くすることができる。
【００６７】
次に、図１０を参照して、本発明の第２の実施形態である画像読取装置について説明する。図１０は、本発明の第２の実施形態である画像読取装置に取り付けられるプラテンローラを説明するための分解斜視図である。なお、上記第１の実施形態と重複する部分についてはその説明を省略する。
【００６８】
この実施形態では、プラテンローラの反りを防止し、プラテンローラと読取センサとの隙間寸法の調整を正確に行なうことができる画像読取装置を説明する。
【００６９】
プラテンローラ（回転部材）２５は、図１０に示すように、半円筒状の白色部材（円弧筒部材）２６と、半円筒状の黒色部材（円弧筒部材）２７とを備える。
【００７０】
白色部材２６の軸方向両端部および軸方向中央部には、それぞれ軸方向の同一方向に突出する例えば円筒状の嵌め込み部２６ａ，２６ｅおよび嵌め込み部２６ｃが同軸上に設けられている。
【００７１】
黒色部材２７の軸方向両端部および軸方向中央部には、それぞれ嵌め込み部２６ａ，２６ｅおよび嵌め込み部２６ｃが軸方向に内嵌される例えば円筒状の被嵌め込み部２７ａ，２７ｅおよび被嵌め込み部２７ｃが同軸上に設けられている。
【００７２】
白色部材２６と黒色部材２７とを組み合わせるには、まず、黒色部材２７の被嵌め込み部２７ａ，２７ｅおよび被嵌め込み部２７ｃに対して、白色部材２６の嵌め込み部２６ａ，２６ｅおよび嵌め込み部２６ｃを軸方向の一端側（図の左端側）にずらした状態で白色部材２６と黒色部材２７とを径方向に合わせる。
【００７３】
次いで、黒色部材２７に対して白色部材２６を軸方向の他端側（図の右端側）に相対的にスライドさせることにより、白色部材２６の嵌め込み部２６ａ，２６ｅおよび嵌め込み部２６ｃが黒色部材２７の被嵌め込み部２７ａ，２７ｅおよび被嵌め込み部２７ｃに軸方向に嵌め込まれる。これにより、白色部材２６と黒色部材２７とが組み合わせられる。なお、このように組み合わせた後、白色部材２６と黒色部材２７とが外れないように、不図示のスナップフィット等によって外れ防止をしている。
【００７４】
ここで、本実施形態では、嵌め込み部２６ａ，２６ｅ，２６ｃおよび被嵌め込み部２７ａ，２７ｅ，２７ｃの中心がプラテンローラ２５の回転中心とされている。そして、プラテンローラ２５の回転中心を、プラテンローラ２５の中心線から白色部材２６と黒色部材２７との軸方向に沿う接合面近傍に向けて所定距離δだけ離間する位置に設定している。
【００７５】
その後、白色部材２６の嵌め込み部２６ａ，２６ｃ，２６ｅの内周部に軸２９を挿通することで、軸方向の両端の偏心位置に軸２９が突出した円筒形状のプラテンローラ２５が形成される。なお、白色部材２６と黒色部材２７との凹凸嵌合構造は、特に限定されず、種々の凹凸嵌合構造を採用することができる。
【００７６】
そして、軸方向の両端に軸２９が突出した円筒形状のプラテンローラ２５、図５に示す保持部材１６，１７、および搬送ガイド１８によって不図示のプラテンローラユニット（回転部材ユニット）が構成される。
【００７７】
このプラテンローラユニットでは、保持部材１６，１７の軸受部１９，２０を介してプラテンローラ２５の軸方向両端に突出した軸２９が回転可能に支持される。なお、軸２９を保持部材１６，１７に固定し、軸２９に対してプラテンローラ２５を回転可能に支持するようにしてもよい。
【００７８】
以上説明したように、この実施形態では、白色部材２６の嵌め込み部２６ａ，２６ｅ，２６ｃを黒色部材２７の被嵌め込み部２７ａ，２７ｅ，２７ｃに軸方向に嵌め込んだ後、白色部材２６の嵌め込み部２６ａ，２６ｃ，２６ｅの内周部に軸２９を挿通している。
【００７９】
これにより、プラテンローラ２５に反り（製造時の反りや経時的な反り）があっても該反りを矯正することができ、プラテンローラ２５の形状精度を高めることができる。この結果、読取センサ１とプラテンローラ２５との隙間寸法の調整を正確に行なうことができ、読取画質が向上する。その他の構成および作用効果は、上記第１の実施形態と同様である。
【００８０】
なお、本発明は上記実施形態に例示したものに限定されるものではなく、本発明の要旨を逸脱しない範囲において適宜変更可能である。
【００８１】
例えば、上記実施形態では、表面読取側ユニットのプラテンローラおよび裏面読取側ユニットのプラテンローラ共に、回転中心を中心線から離間配置した場合を例示したが、表面読取側ユニット或いは裏面読取側ユニットのプラテンローラのみの回転中心を中心線から離間配置するようにしてもよい。
【００８２】
この場合、回転中心が中心線から離間配置された一方のプラテンローラを回転させて、回転中心が中心線と一致している他方のプラテンローラを用いたときの読取画質に一致するように前記一方のプラテンローラと読取センサ１との隙間寸法を調整する。
【００８３】
また、上記実施形態では、円筒形状のプラテンローラを例示したが、これに代えて、例えば、楕円筒形状や多角筒形状、或いは軸方向に不規則な断面形状のプラテンローラを用いてもよい。
【図面の簡単な説明】
【００８４】
【図１】本発明の第１の実施形態である画像読取装置に組み込まれるプラテンローラの分解斜視図である。
【図２】プラテンローラを軸方向から見た図である。
【図３】プラテンローラの回転停止位置の調整方法の一例を説明するための斜視図である。
【図４】本発明の第１の実施形態である画像読取装置の装置構成を説明するための簡略図である。
【図５】プラテンローラユニットを説明するための斜視図である。
【図６】本体装置にプラテンローラユニットを取り付ける際の様子を示す斜視図である。
【図７】プラテンローラユニットの取り付け例を説明するための図である。
【図８】プラテンローラユニットの取り付け例を説明するための図である。
【図９】プラテンローラユニットの取り付け例を説明するための図である。
【図１０】本発明の第２の実施形態である画像読取装置に組み込まれるプラテンローラの分解斜視図である。
【符号の説明】
【００８５】
１  読取センサ
２  上部ユニット
３  搬送ローラ
４  給送ローラ
５  排紙ローラ
６  ピックアップローラ
７  原稿台
８  原稿
９  排紙トレイ
１０  プラテンローラ
１１  分離ローラ
１２  下部ユニット
１３  ヒンジ
１４  白色部材
１４ａ  ボス
１４ｂ  嵌め込み凸部
１４ｃ  引掛け部
１４ｄ  嵌め込み凸部
１４ｅ  穴
１５  黒色部材
１５ａ  穴
１５ｂ  嵌め込み凹部
１５ｃ  引掛け部
１５ｄ  嵌め込み凹部
１５ｅ  ボス
１６  保持部材
１６ａ  スペーサ部
１６ｅ  掛止部
１６ｆ  アーム部
１７  保持部材
１８  搬送ガイド
１９  軸受部
２０  軸受部
２２  プラテンローラユニット
２３  取付部
２５  プラテンローラ
２６  白色部材
２６ａ  嵌め込み部
２６ｃ  嵌め込み部
２６ｅ  嵌め込み部
２７  黒色部材
２７ａ  被嵌め込み部
２７ｃ  被嵌め込み部
２７ｅ  被嵌め込み部
２９  軸
【図１】
2008252382.tif 000003
【図２】
2008252382.tif 000004
【図３】
2008252382.tif 000005
【図４】
2008252382.tif 000006
【図５】
2008252382.tif 000007
【図６】
2008252382.tif 000008
【図７】
2008252382.tif 000009
【図８】
2008252382.tif 000010
【図９】
2008252382.tif 000011
【図１０】
2008252382.tif 000012